(57)【要約】【課題】複数の撮影装置で得られる撮影画像の状態が、同様の状態となるように撮影することのできる撮影システムを提供する。【解決手段】撮影準備を指示された撮影装置であるマスタ撮影装置は、該マスタ撮影装置を除く他の撮影装置に、撮影条件情報を要求し、他の撮影装置から送信された撮影条件情報を受信し、撮影条件情報受信手段が受信した撮影条件情報と、被写体の状態に基づいて自らが取得した撮影条件情報とを用いた予め定められた演算式により、撮影システム全体で用いる撮影条件情報を演算し、該演算により求まった演算済撮影条件情報を自らの撮影条件情報とし、演算済撮影条件情報を他の撮影装置に提供し、設定された撮影条件情報で撮影を実行し、他の撮影装置に撮影実行を指示し、他の撮影装置の各々は、マスタ撮影装置から撮影条件情報を要求されると、被写体の状態に基づいて自らが取得した撮影条件情報をマスタ撮影装置に送信する。【選択図】図１
2007266781.tif 000002
【特許請求の範囲】
【請求項１】
ＡＥ情報、ＡＦ情報、及びＡＷＢ情報の少なくとも１つの情報を含む撮影条件情報が設定可能で、その設定された撮影条件情報で撮影を実行する複数の撮影装置を有する撮影システムであって、
前記複数の撮影装置のうち、撮影準備を指示された撮影装置であるマスタ撮影装置は、
該マスタ撮影装置を除く他の撮影装置に、前記撮影条件情報を要求する撮影条件情報要求手段と、
前記撮影条件情報要求手段の要求に応じて前記他の撮影装置から送信された前記撮影条件情報を受信する撮影条件情報受信手段と、
前記撮影条件情報受信手段が受信した前記撮影条件情報と、被写体の状態に基づいて自らが取得した撮影条件情報とを用いた予め定められた演算式により、撮影システム全体で用いる撮影条件情報を演算し、該演算により求まった演算済撮影条件情報を自らの撮影条件情報として設定する第１の撮影条件情報設定手段と、
前記演算済撮影条件情報を前記他の撮影装置に提供する演算済撮影条件情報提供手段と、
前記第１の撮影条件情報設定手段により設定された撮影条件情報で撮影を実行する第１の撮影実行手段と、
前記他の撮影装置に撮影実行を指示する撮影実行指示手段とを有し、
前記他の撮影装置の各々は、
前記マスタ撮影装置から前記撮影条件情報を要求されると、被写体の状態に基づいて自らが取得した撮影条件情報を前記マスタ撮影装置に送信する撮影条件情報送信手段を有する撮影システム。
【請求項２】
前記他の撮影装置の各々は、
前記マスタ撮影装置から提供された前記演算済撮影条件情報を自らの撮影条件情報として設定する第２の撮影条件情報設定手段と、
前記マスタ撮影装置から撮影実行を指示されると、前記第２の撮影条件情報設定手段により設定された撮影条件情報で撮影を実行する第２の撮影実行手段と、
を有する請求項１に記載の撮影システム。
【請求項３】
ＡＥ情報、ＡＦ情報、及びＡＷＢ情報の少なくとも１つの情報を含む撮影条件情報が設定可能で、その設定された撮影条件情報で撮影を実行する複数の撮影装置を有する撮影システムであって、
前記複数の撮影装置のうち、撮影準備を指示された撮影装置であるマスタ撮影装置は、
該マスタ撮影装置を除く他の撮影装置に、前記撮影条件情報を要求する第１の撮影条件情報要求手段と、
前記第１の撮影条件情報要求手段の要求に応じて前記他の撮影装置から送信された前記撮影条件情報を受信する第１の撮影条件情報受信手段と、
前記他の撮影装置から前記撮影条件情報を要求されると、被写体の状態に基づいて自らが取得した撮影条件情報を前記他の撮影装置に送信する第１の撮影条件情報送信手段と、
前記第１の撮影情報受信手段が受信した前記撮影条件情報と、被写体の状態に基づいて自らが取得した撮影条件情報とを用いた予め定められた演算式により、撮影システム全体で用いる撮影条件情報を演算し、該演算により求まった演算済撮影条件情報を自らの撮影条件情報として設定する第１の撮影条件情報設定手段と、
前記第１の撮影条件情報設定手段により設定された撮影条件情報で撮影を実行する第１の撮影実行手段と、
前記他の撮影装置に撮影実行を指示する撮影実行指示手段とを有し、
前記他の撮影装置の各々は、
前記マスタ撮影装置から前記撮影条件情報を要求されると、被写体の状態に基づいて自らが取得した撮影条件情報を前記マスタ撮影装置に送信する第２の撮影条件情報送信手段を有する撮影システム。
【請求項４】
前記他の撮影装置の各々は、
自らを除く他の撮影装置に、前記撮影条件情報を要求する第２の撮影条件情報要求手段と、
前記第２の撮影条件情報要求手段の要求に応じて前記他の撮影装置から送信された前記撮影条件情報を受信する第２の撮影条件情報受信手段と、
前記第２の撮影情報取得手段が取得した前記撮影条件情報と、被写体の状態に基づいて自らが取得した撮影条件情報とを用いた予め定められた演算式により、撮影システム全体で用いる撮影条件情報を演算し、該演算により求まった演算済撮影条件情報を自らの撮影条件情報として設定する第２の撮影条件情報設定手段と、
前記マスタ撮影装置から撮影実行を指示されると、撮影を実行する第２の撮影実行手段と、
を有する請求項３に記載の撮影システム。
【発明の詳細な説明】
【技術分野】
【０００１】
本発明は、撮影システムに関し、特に同じ撮影条件が設定された複数の撮影装置で被写体を撮影する撮影システムに関する。
【背景技術】
【０００２】
近年のネットワークの普及に伴い、デジタルカメラなどの撮影装置にもネットワーク機能を有するものが多くなっている。撮影装置のネットワーク機能は、ＵＳＢやＩＥＥＥ１３９４、あるいは無線ＬＡＮなどで提供され、撮影したデジタル画像データをＰＣに送信することなどが可能となっている。
【０００３】
ネットワーク機能を有することは、上述した画像データに限らず、種々のデータを送受信できる。そこで、撮影条件情報を送受信することにより、他のカメラに設定されている撮影条件と同じ撮影条件を設定することが可能なカメラが特許文献１に開示されている。
【特許文献１】特開２００５−７３２０１号公報
【発明の開示】
【発明が解決しようとする課題】
【０００４】
しかしながら、特許文献１に開示されている技術は、熟練者により設定された撮影条件を他のカメラに設定するため、熟練者により設定されたカメラ以外の他のカメラでの撮影条件は考慮されていない。
【０００５】
従って、例えば複数のカメラで被写体を撮影する場合、熟練者により撮影条件を設定されたカメラと、その撮影条件を受信して設定された他のカメラとの位置が異なる場合、それらのカメラで得られる撮影画像の状態が全く異なることとなる。
【０００６】
本発明は上記問題点に鑑み、複数の撮影装置で得られる撮影画像の状態が、同様の状態となるように撮影することのできる撮影システムを提供することを目的とする。
【課題を解決するための手段】
【０００７】
上記目的を達成するために請求項１の発明は、ＡＥ情報、ＡＦ情報、及びＡＷＢ情報の少なくとも１つの情報を含む撮影条件情報が設定可能で、その設定された撮影条件情報で撮影を実行する複数の撮影装置を有する撮影システムであって、前記複数の撮影装置のうち、撮影準備を指示された撮影装置であるマスタ撮影装置は、該マスタ撮影装置を除く他の撮影装置に、前記撮影条件情報を要求する撮影条件情報要求手段と、前記撮影条件情報要求手段の要求に応じて前記他の撮影装置から送信された前記撮影条件情報を受信する撮影条件情報受信手段と、前記撮影条件情報受信手段が受信した前記撮影条件情報と、被写体の状態に基づいて自らが取得した撮影条件情報とを用いた予め定められた演算式により、撮影システム全体で用いる撮影条件情報を演算し、該演算により求まった演算済撮影条件情報を自らの撮影条件情報として設定する第１の撮影条件情報設定手段と、前記演算済撮影条件情報を前記他の撮影装置に提供する演算済撮影条件情報提供手段と、前記第１の撮影条件情報設定手段により設定された撮影条件情報で撮影を実行する第１の撮影実行手段と、前記他の撮影装置に撮影実行を指示する撮影実行指示手段とを有し、前記他の撮影装置の各々は、前記マスタ撮影装置から前記撮影条件情報を要求されると、被写体の状態に基づいて自らが取得した撮影条件情報を前記マスタ撮影装置に送信する撮影条件情報送信手段を有する。
【０００８】
ここで、請求項１に記載の発明では、撮影準備を指示された撮影装置であるマスタ撮影装置は、該マスタ撮影装置を除く他の撮影装置に、前記撮影条件情報を要求し、前記他の撮影装置から送信された前記撮影条件情報を受信し、前記撮影条件情報受信手段が受信した前記撮影条件情報と、被写体の状態に基づいて自らが取得した撮影条件情報とを用いた予め定められた演算式により、撮影システム全体で用いる撮影条件情報を演算し、該演算により求まった演算済撮影条件情報を自らの撮影条件情報とし、前記演算済撮影条件情報を前記他の撮影装置に提供し、設定された撮影条件情報で撮影を実行し、前記他の撮影装置に撮影実行を指示し、前記他の撮影装置の各々は、前記マスタ撮影装置から前記撮影条件情報を要求されると、被写体の状態に基づいて自らが取得した撮影条件情報を前記マスタ撮影装置に送信するので、複数の撮影装置で得られる撮影画像の状態が、同様の状態となるように撮影することのできる撮影システムを提供することができる。
【０００９】
また、請求項２の発明は、前記他の撮影装置の各々は、前記マスタ撮影装置から提供された前記演算済撮影条件情報を自らの撮影条件情報として設定する第２の撮影条件情報設定手段と、前記マスタ撮影装置から撮影実行を指示されると、前記第２の撮影条件情報設定手段により設定された撮影条件情報で撮影を実行する第２の撮影実行手段と、を有する。
【００１０】
ここで、請求項２に記載の発明では、他の撮影装置は、マスタ撮影装置から提供された演算済撮影条件情報を自らの撮影条件情報として設定することができる。
【００１１】
また、請求項３の発明は、ＡＥ情報、ＡＦ情報、及びＡＷＢ情報の少なくとも１つの情報を含む撮影条件情報が設定可能で、その設定された撮影条件情報で撮影を実行する複数の撮影装置を有する撮影システムであって、前記複数の撮影装置のうち、撮影準備を指示された撮影装置であるマスタ撮影装置は、該マスタ撮影装置を除く他の撮影装置に、前記撮影条件情報を要求する第１の撮影条件情報要求手段と、前記第１の撮影条件情報要求手段の要求に応じて前記他の撮影装置から送信された前記撮影条件情報を受信する第１の撮影条件情報受信手段と、前記他の撮影装置から前記撮影条件情報を要求されると、被写体の状態に基づいて自らが取得した撮影条件情報を前記他の撮影装置に送信する第１の撮影条件情報送信手段と、前記第１の撮影情報受信手段が受信した前記撮影条件情報と、被写体の状態に基づいて自らが取得した撮影条件情報とを用いた予め定められた演算式により、撮影システム全体で用いる撮影条件情報を演算し、該演算により求まった演算済撮影条件情報を自らの撮影条件情報として設定する第１の撮影条件情報設定手段と、前記第１の撮影条件情報設定手段により設定された撮影条件情報で撮影を実行する第１の撮影実行手段と、前記他の撮影装置に撮影実行を指示する撮影実行指示手段とを有し、前記他の撮影装置の各々は、前記マスタ撮影装置から前記撮影条件情報を要求されると、被写体の状態に基づいて自らが取得した撮影条件情報を前記マスタ撮影装置に送信する第２の撮影条件情報送信手段を有する。
【００１２】
ここで、請求項３に記載の発明では、撮影準備を指示された撮影装置であるマスタ撮影装置は、該マスタ撮影装置を除く他の撮影装置に、前記撮影条件情報を要求し、前記他の撮影装置から送信された前記撮影条件情報を受信し、前記他の撮影装置から前記撮影条件情報を要求されると、被写体の状態に基づいて自らが取得した撮影条件情報を前記他の撮影装置に送信し、受信した前記撮影条件情報と、被写体の状態に基づいて自らが取得した撮影条件情報とを用いた予め定められた演算式により、撮影システム全体で用いる撮影条件情報を演算し、該演算により求まった演算済撮影条件情報を自らの撮影条件情報として設定し、設定された撮影条件情報で撮影を実行し、前記他の撮影装置に撮影実行を指示し、前記他の撮影装置の各々は、前記マスタ撮影装置から前記撮影条件情報を要求されると、被写体の状態に基づいて自らが取得した撮影条件情報を前記マスタ撮影装置に送信するので、複数の撮影装置で得られる撮影画像の状態が、同様の状態となるように撮影することのできる撮影システムを提供することができる。
【００１３】
請求項４の発明は、前記他の撮影装置の各々は、自らを除く他の撮影装置に、前記撮影条件情報を要求する第２の撮影条件情報要求手段と、前記第２の撮影条件情報要求手段の要求に応じて前記他の撮影装置から送信された前記撮影条件情報を受信する第２の撮影条件情報受信手段と、前記第２の撮影情報取得手段が取得した前記撮影条件情報と、被写体の状態に基づいて自らが取得した撮影条件情報とを用いた予め定められた演算式により、撮影システム全体で用いる撮影条件情報を演算し、該演算により求まった演算済撮影条件情報を自らの撮影条件情報として設定する第２の撮影条件情報設定手段と、前記マスタ撮影装置から撮影実行を指示されると、撮影を実行する第２の撮影実行手段と、を有する。
【００１４】
ここで、請求項４に記載の発明では、他の撮影装置は、自ら撮影条件情報を演算し、その演算で求まった撮影条件情報を自らの撮影条件情報として設定することができる。
【発明の効果】
【００１５】
本発明によれば、複数の撮影装置で得られる撮影画像の状態が、同様の状態となるように撮影することのできる撮影システムを提供することができるという効果が得られる。
【発明を実施するための最良の形態】
【００１６】
以下、図面を参照して、本発明の実施の形態について詳細に説明する。本実施の形態においては、撮影装置をデジタルカメラとして説明する。
【００１７】
まず、図１を参照して本実施の形態に係る撮影システムの全体構成について説明する。図１には、無線ＬＡＮなどで通信可能なデジタルカメラ７０ａ、７０ｂ、７０ｃ、７０ｄが示されている。
【００１８】
図示されているデジタルカメラ７０ａ、７０ｂ、７０ｃ、７０ｄのうちの１台、例えばデジタルカメラ７０ａで、ユーザにより撮影準備が指示されると、デジタルカメラ７０ａ、７０ｂ、７０ｃ、７０ｄは撮影条件情報の送受信を行い、後述する演算を行うことで、デジタルカメラ７０ａ、７０ｂ、７０ｃ、７０ｄは、同一の撮影条件情報を設定する。設定後、ユーザから撮影を指示されると、デジタルカメラ７０ａから撮影指示がデジタルカメラ７０ｂ、７０ｃ、７０ｄに送信され、撮影が実行される。これにより、複数の撮影装置で得られる撮影画像の状態が、同様の状態となるように撮影することのできる撮影システムを提供することができる。
【００１９】
なお、上述した撮影条件情報とは、ＡＥ（Automatic Exposure）情報、ＡＦ（Auto Focus）情報、及びＡＷＢ（Auto White Balance）の少なくとも１つの情報を含む情報である。また、ユーザによる撮影準備とは、例えば後述するレリーズボタンがユーザにより半押しされることを示し、ユーザによる撮影の指示とは、レリーズボタンがユーザにより全押しされることを示す。
【００２０】
次に、図２を参照して、本実施の形態に係るデジタルカメラの外観上の構成を説明する。なお、ここでは、上述したデジタルカメラ７０ａ、７０ｂ、７０ｃ、７０ｄをデジタルカメラ１０として説明する。
【００２１】
デジタルカメラ１０の正面には、被写体像を結像させるためのレンズ２１と、撮影時に必要に応じて被写体を照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００２２】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２３】
そして、デジタルカメラ１０では、レリーズボタン５６Ａを半押し状態にすることによりＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００２４】
一方、デジタルカメラ１０の背面には、前述のファインダ２０の接眼部と、撮影された被写体像やメニュー画面等を表示するための液晶ディスプレイ（以下、「ＬＣＤ」という。）３８と、撮影を行うモードである撮影モード及び撮影によって得られた被写体像をＬＣＤ３８に再生するモードである再生モードの何れかのモードに設定する際にスライド操作されるモード切替スイッチ５６Ｃと、が備えられている。
【００２５】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００２６】
なお、十字カーソルボタン５６Ｄは、ＬＣＤ３８の表示領域における上・下・左・右の４方向の移動方向を示す４つの矢印キー及び当該４つの矢印キーの中央部に位置された決定キーの合計５つのキーを含んで構成されている。
【００２７】
次に、図３を参照して、本実施の形態に係るデジタルカメラ１０の電気系の要部構成を説明する。
【００２８】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００２９】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３０】
なお、デジタル信号処理部３０は、所定容量のラインバッファを内蔵し、入力されたデジタルデータを後述するメモリ４８の所定領域に直接記憶させる制御も行う。
【００３１】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３２】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００３３】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、他のデジタルカメラと通信をするための無線ＬＡＮインタフェース６０と、を含んで構成されている。
【００３４】
なお、本実施の形態のデジタルカメラ１０では、メモリ４８としてＶＲＡＭ（Video RAM）が用いられ、メモリカード５２としてスマートメディア（Smart Media(登録商標)）が用いられている。
【００３５】
デジタル信号処理部３０、ＬＣＤインタフェース３６、ＣＰＵ４０、メモリインタフェース４６、外部メモリインタフェース５０、無線ＬＡＮインタフェース６０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、無線ＬＡＮインタフェース６０を用いた通信、メモリ４８及びメモリカード５２へのメモリインタフェース４６乃至外部メモリインタフェース５０を介したアクセスを各々行うことができる。
【００３６】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３７】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００３８】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００３９】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００４０】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４１】
次に、本実施の形態に係るデジタルカメラ１０の撮影時における全体的な動作について簡単に説明する。
【００４２】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４３】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４４】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００４５】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００４６】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００４７】
ここで、レリーズボタン５６Ａがユーザによって半押し状態とされた場合、後述する処理が実行され、撮影条件が設定される。その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００４８】
なお、以上説明したデジタルカメラ７０ａ、７０ｂ、７０ｃ、７０ｄとの間の通信で用いられるプロトコルは、デジタル画像データなど、パケット欠落を許しても良いデータの送信の場合、処理が軽いＵＤＰとし、それ以外の例えば撮影条件情報の場合、信頼性のあるＴＣＰとしても良い。
【００４９】
以下、デジタルカメラ７０ａ、７０ｂ、７０ｃ、７０ｄにおける処理を、フローチャートを用いて説明する。以下の説明において、ユーザにより撮影準備を指示されたデジタルカメラをマスタマスタと表現し、マスタを除く他のデジタルカメラをスレーブと表現する。
【００５０】
また、以下で記述では２種類の撮影条件設定処理が説明される。第１の処理は、マスタが演算した演算済撮影条件情報をスレーブに提供することで同じ撮影条件を設定する処理であり、第２の処理は各デジタルカメラが他のデジタルカメラから撮影条件を受信し、その撮影条件に基づき各デジタルカメラが演算をすることで同じ撮影条件を設定する処理である。
【００５１】
これらの処理の説明に先立ち、いずれの処理においても行われる撮影条件情報（ＡＥ情報、ＡＦ情報、及びＡＷＢ情報）の演算について説明する。上記撮影条件情報は、いずれもデジタルカメラ内部で数値化されている情報である。従って、撮影条件情報の平均値を演算済撮影条件情報としても良い。この場合の演算式は、撮影条件情報の平均値を求める式となる。
【００５２】
具体的に、各デジタルカメラは他のデジタルカメラから受信した撮影条件情報が示す値の総和と、被写体に基づいて自らが取得した撮影条件情報が示す値とを加えた値を、全てのデジタルカメラの台数が示す値で除算することで求まる値を演算済撮影条件情報とする。
【００５３】
例えば、ＡＥ情報は、背景画像の明るさを示す情報、及びＲＧＢなど色を示す情報が含まれるので、例えば明るさを示す値の平均を演算済ＡＥ情報とする。なお、ＡＥ情報として、シャッタースピード、絞り値、及び感度を含むようにしても良い。
【００５４】
また、ＡＦ情報は、各デジタルカメラが測距した距離の平均を演算済ＡＦ情報とする。また、ＡＷＢ情報の場合は、光源に応じた各テーブルで表現されていることが多い。テーブルは、例えば２次元配列a[n][m]で数値化されているので、例えばデジタルカメラが２台の場合、それぞれ被写体に基づいて自らが取得したＡＷＢ情報がa[n][m]で、他のデジタルカメラから受信したＡＷＢ情報がb[n][m]であるとき、配列の各要素毎に加えて２で割った値である（a[n][m]＋b[n][m]）／２を要素とする新たなテーブルを演算済ＡＷＢ情報とする。
【００５５】
以上説明した演算はあくまでも一例であり、本実施の形態においては全てのデジタルカメラで同じ撮影条件情報を設定することが趣旨であるので、他の演算式でも良いことは言うまでもない。
【００５６】
以下、２種類の処理を説明する。最初に、図４、図５を用いて第１の処理について説明する。図４はマスタの処理を示すフローチャートである。
【００５７】
最初のステップ１０１は、ユーザによるレリーズボタン半押し待ちである。レリーズボタン半押しを検出すると、マスタはステップ１０２でスレーブに撮影条件情報要求を送信する。この撮影条件情報要求は、マスタが撮影条件情報を演算するために、各スレーブに撮影情報を要求する処理である。
【００５８】
次のステップ１０３は、メッセージによる分岐である。メッセージがレリーズボタン全押しを示す場合、現時点で全てのスレーブから撮影条件情報を受信していないので、ステップ１０４で、エラー表示が行われる。このエラー表示処理は、例えばビープ音を鳴らすなどの処理である。その後、再びステップ１０３の処理に戻る。
【００５９】
メッセージが、撮影条件情報要求に応じてスレーブから送信された撮影条件情報応答を示す場合、ステップ１０５で、マスタは撮影条件情報を保持する。次のステップ１０６で、マスタは全てのスレーブから撮影条件情報応答を受信したかどうか判断する。ここで、全てのスレーブとは、上記撮影条件情報要求を送信したスレーブである。全てのスレーブから撮影条件情報応答を受信していない場合、再びステップ１０３の処理に戻る。
【００６０】
全てのスレーブから撮影条件情報応答を受信した場合、ステップ１０７で、受信した撮影条件情報と、被写体に基づいて自らが取得した撮影条件情報とを演算し、その演算により求まった演算済撮影条件情報を自らの撮影条件情報として設定する。そして、ステップ１０８で、マスタはスレーブに演算済撮影条件情報を提供する。この処理により、全てのスレーブがマスタと同じ撮影条件情報を設定することができる。
【００６１】
次のステップ１０９は、レリーズボタン全押し待ちである。レリーズボタンが全押しされると、ステップ１１０で、撮影を実行すると共に、スレーブに撮影指示を送信する。
【００６２】
以上説明した処理により、複数の撮影装置に同じ撮影条件を容易に設定可能とすることのできる撮影システムを提供することができる。
【００６３】
次に、上記マスタの処理に対応するスレーブの処理を、図５を用いて説明する。ステップ２０１は、メッセージ受信待ちである。メッセージを受信すると、スレーブはステップ２０２で、メッセージの受け入れが可能かどうか判断する。この判断処理は、例えば各デジタルカメラ毎にメッセージの受け入れが可能なデジタルカメラのＩＰアドレスを設定可能な場合、マスタが誤って設定されていないデジタルカメラにメッセージを送信した場合に対応する処理である。
【００６４】
メッセージ受け入れ不可能な場合、スレーブは処理を終了し、メッセージ受け入れ可能な場合、ステップ２０３で、そのメッセージが撮影条件情報要求であるかどうか判断し、否定判断の場合は処理を終了する。
【００６５】
撮影条件情報要求の場合、ステップ２０４で、スレーブは被写体に基づいて自らが取得した撮影条件情報をマスタに送信する。次のステップ２０５は、撮影条件情報提供の受信待ちである。撮影条件情報提供を受信すると、ステップ２０６で、提供された演算済撮影条件情報を自らの撮影条件情報として設定する。
【００６６】
次のステップ２０７は、撮影指示の受信待ちである。撮影指示を受信すると、スレーブはステップ２０８で、撮影を実行する。
【００６７】
以上説明した処理によりスレーブは、マスタから提供された演算済撮影条件情報を自らの撮影条件情報として設定することができる。
【００６８】
以上が第１の処理におけるマスタとスレーブの処理である。次に第２の処理について説明する。図５は、第２の処理におけるマスタの処理を示すフローチャートである。
【００６９】
最初のステップ３０１は、ユーザによるレリーズボタン半押し待ちである。レリーズボタン半押しを検出すると、マスタはステップ３０２でスレーブに撮影条件情報要求を送信する。
【００７０】
次のステップ３０３は、メッセージによる分岐である。メッセージがレリーズボタン全押しを示す場合、全てのスレーブから撮影条件情報を受信していないので、ステップ３０４で、エラー表示が行われる。その後、再びステップ３０３の処理に戻る。
【００７１】
メッセージが、撮影条件情報要求に応じてスレーブから送信された撮影条件情報応答を示す場合、ステップ３０５で、マスタは撮影条件情報を保持する。次のステップ３０６で、マスタは全てのスレーブから撮影条件情報応答を受信したかどうか判断する。ここで、全てのスレーブとは、上記撮影条件情報要求を送信したスレーブである。全てのスレーブから撮影条件情報応答を受信していない場合、再びステップ３０３の処理に戻る。
【００７２】
全てのスレーブから撮影条件情報応答を受信した場合、ステップ３０７で、受信した撮影条件情報と、被写体に基づいて自らが取得した撮影条件情報とを演算し、その演算により求まった演算済撮影条件情報を自らの撮影条件情報として設定する。
【００７３】
次のステップ３０８は、レリーズボタン全押し待ちである。レリーズボタンが全押しされると、ステップ３０９で、撮影を実行すると共に、スレーブに撮影指示を送信する。以上説明した処理により、複数のデジタルカメラに同じ撮影条件を容易に設定可能とすることのできる撮影システムを提供することができる。
【００７４】
次に、上記マスタの処理に対応するスレーブの処理を、図７を用いて説明する。ステップ４０１は、メッセージ受信待ちである。メッセージを受信すると、スレーブはステップ４０２で、メッセージの受け入れが可能かどうか判断する。この判断処理は、図５のステップ２０２と同様の処理である。
【００７５】
メッセージ受け入れ不可能な場合、スレーブは処理を終了し、メッセージ受け入れ可能な場合、ステップ４０３で、そのメッセージが撮影条件情報要求であるかどうか判断し、否定判断の場合は処理を終了する。
【００７６】
撮影条件情報要求の場合、ステップ４０４で、スレーブは被写体に基づいて自らが取得した撮影条件情報をマスタに送信する。また、ステップ４０５で、他のデジタルカメラに撮影条件情報要求を送信する。ここで、他のデジタルカメラとは、自らを除くデジタルカメラであり、マスタも含まれる。
【００７７】
次のステップ４０６は、メッセージによる分岐である。メッセージが撮影指示である場合、ステップ４０７でスレーブは撮影指示フラグをオンとする。この撮影指示フラグとは、後のステップ４１１で撮影を実行して良いかどうかの判断に用いられるフラグである。
【００７８】
ステップ４０６で、撮影条件情報応答を受信すると、スレーブはステップ４０８で、撮影条件情報を保持する。次のステップ４０９で、スレーブは全てのデジタルカメラから撮影条件情報応答を受信したかどうか判断する。ここで、全てのデジタルカメラとは、上記他のデジタルカメラである。全てのデジタルカメラから撮影条件情報応答を受信していない場合、再びステップ４０６の処理に戻る。
【００７９】
全てのデジタルカメラから撮影条件情報応答を受信した場合、ステップ４０９で、受信した撮影条件情報と、被写体に基づいて自らが取得した撮影条件情報とを演算し、その演算により求まった演算済撮影条件情報を自らの撮影条件情報として設定する。さらに、撮影条件設定済フラグをオンとする。この撮影条件設定済フラグとは、次のステップ４１１で撮影を実行して良いかどうかの判断に用いられるフラグである。
【００８０】
ステップ４１１で、撮影指示フラグがオンで、かつ撮影条件設定済フラグがオンかどうか判断される。否定判断の場合、再びステップ４０６の処理に戻る。肯定判断の場合、ステップ４１２で撮影を実行する。
【００８１】
以上説明した処理より、スレーブは、自ら撮影条件情報を演算し、その演算で求まった撮影条件情報を自らの撮影条件情報として設定することができる。
【００８２】
また、上述した第１、第２の処理においては、ユーザから撮影指示されたデジタルカメラがマスタとなるので、いずれのデジタルカメラでもマスタとして動作することができる。さらに、マスタとスレーブ間で送受信する情報を、撮影条件情報だけではなく、被写体を示すデジタル画像データも送受信するようにし、マスタのＬＣＤ３８に表示するようにしても良い。
【図面の簡単な説明】
【００８３】
【図１】本実施の形態に係る撮影システムの全体構成を示す図である。
【図２】本実施の形態に係るデジタルカメラの外観上の構成を示す図である。
【図３】本実施の形態に係るデジタルカメラの電気系の構成を示す図である。
【図４】マスタの処理を示すフローチャートである（その１）。
【図５】スレーブの処理を示すフローチャートである（その１）。
【図６】マスタの処理を示すフローチャートである（その２）。
【図７】スレーブの処理を示すフローチャートである（その２）。
【符号の説明】
【００８４】
１０、７０ａ、７０ｂ、７０ｃ、７０ｄ  デジタルカメラ
４０  ＣＰＵ
５６Ａ  レリーズボタン
６０  無線ＬＡＮインタフェース
【図１】
2007266781.tif 000003
【図２】
2007266781.tif 000004
【図３】
2007266781.tif 000005
【図４】
2007266781.tif 000006
【図５】
2007266781.tif 000007
【図６】
2007266781.tif 000008
【図７】
2007266781.tif 000009